(57)【要約】【課題】クレストファクタの大きさが変動する場合であっても、パワー測定を高確度で行なえる変調信号のパワー測定装置および無線機テスタを実現することにある。【解決手段】変調信号を対数変換してのログ値のパワーを求めるログアンプと、ログアンプでからのデータをＡＤ変換する第１のＡＤ変換器と、このＡＤ変換器のログ値のデジタルデータを平均化して平均パワーを求めるログ値平均化手段とを有する変調信号のパワー測定装置に改良を加えたものである。本装置は、変調信号をＡＤ変換する第２のＡＤ変換器と、このＡＤ変換器からのリニア値のデジタルデータからパワーを求め、このリニア値のパワーを平均して対数変換したデータとリニア値のパワーを対数変換して平均したデータとで補正値を求める補正値演算手段と、補正値演算手段の補正値でログ値平均化手段の平均パワーを補正する平均パワー補正手段とを設けたことを特徴とするものである。【選択図】図１
2009194678.tif 000002
【特許請求の範囲】
【請求項１】
測定対象の変調信号を対数変換してログ値のパワーを求めるログアンプと、このログアンプで対数変換されたアナログデータをデジタルデータに変換する第１のＡＤ変換器と、この第１のＡＤ変換器のログ値のデジタルデータを平均化して平均パワーを求めるログ値平均化手段とを有する変調信号のパワー測定装置において、
前記変調信号をデジタルデータに変換する第２のＡＤ変換器と、
この第２のＡＤ変換器からのリニア値のデジタルデータから変調信号のパワーを求め、このリニア値のパワーを平均化して対数変換したデータと前記リニア値のパワーを対数変換して平均化したデータとで補正値を求める補正値演算手段と、
この補正値演算手段の補正値で前記ログ値平均化手段の平均パワーを補正する平均パワー補正手段と
を設けたことを特徴とする変調信号のパワー測定装置。
【請求項２】
補正値演算手段は、
前記第２のＡＤ変換器からのデジタルデータからパワーを演算する二乗値演算手段と、  この二乗値演算手段のパワーを平均化してログ値に対数変換する第１の変換手段と、
前記二乗値演算手段のパワーをログ値に対数変換して平均化する第２の変換手段と、
前記第１、第２の変換手段の演算結果から補正値を求め、前記平均パワー補正手段に出力する算出手段と
を有することを特徴とする請求項１記載の変調信号のパワー測定装置。
【請求項３】
前記第１のＡＤ変換器からのデジタルデータのトレンドデータを作成する瞬時パワー演算手段と、
前記補正値演算手段によって平均化されて対数変換されたデータに基づいて、前記瞬時パワー演算手段のトレンドデータを補正するトレンドデータ補正手段と
を設けたことを特徴とする請求項１または２記載の変調信号のパワー測定装置
【請求項４】
変調信号は、ＨＳＤＰＡの規格に沿った信号であることを特徴とする請求項１〜３のいずれかに記載の変調信号のパワー測定装置
【請求項５】
変調信号を出力する無線機器のテストを行なう無線機テスタにおいて、
前記第２のＡＤ変換器のデジタルデータから前記変調信号の解析を行なう変調特性解析手段と、
請求項１〜４のいずれかに記載の変調信号のパワー測定装置と
を有することを特徴とする無線機テスタ。
【発明の詳細な説明】
【技術分野】
【０００１】
本発明は、変調信号を出力する無線機器、例えば、携帯電話機の送信パワーのパワー測定を行なうパワー測定装置およびこのパワー測定装置を用いて無線機器のテストを行なう無線機テスタ（特に携帯電話機テスタ）に関し、詳しくは、クレストファクタの大きさが変動する場合であっても、パワー測定を高確度で行なえる変調信号のパワー測定装置およびこれを用いた無線機テスタを実現することにある。
【背景技術】
【０００２】
無線機用（特に携帯電話機用）の通信規格は、データ通信の高速化を図るため規格の変更が頻繁に行なわれている。また、このような通信規格を実現するために、変調方式、符号化等についても様々な方式が存在し、高機能化・高性能化が図られている。そして、携帯電話機用の新しい規格、変調方式等に対する評価・試験のみならず、携帯電話機自体の製造・出荷時等にも厳密な調整・検査等が必要になっている。無線機テスタ（携帯電話機テスタ）は、このような携帯電話機の評価、試験、調整、検査等に用いられるものである（例えば、非特許文献１参照）。
【０００３】
図４は、従来の携帯電話機テスタの構成を示した図である。
図４において、ＲＦ回路１０は、被試験対象からの無線信号（ＲＦ信号）を受信し、周波数変換（ダウンコンバート）したＩＦ信号を出力する。具体的には、後段の回路で処理を行なうのが容易な周波数帯、例えば、中心周波数が１０〜２０［ＭＨｚ］程度のＩＦ信号に変換する。
【０００４】
ＡＤ変換器（以下、ＡＤＣと略す）１１は、ＲＦ回路１０からのアナログのＩＦ信号（リニア値）をデジタルのＩＦ信号に変換する。
【０００５】
ログアンプ１２は、パワー検出器の一種であり、ＲＦ回路１０からのＩＦ信号（リニア値）を検波し、ログ値（デシベル値：ｄＢ値）に対数変換したＩＦ信号のパワーを出力する。
【０００６】
ＡＤ変換器１３は、ログアンプ１２からのＩＦ信号（ログ値）のパワーをデジタルのＩＦ信号のパワーに変換する。
【０００７】
デジタル信号処理部１４は、変調特性解析手段１５、パワー測定手段１６を有し、ＡＤＣ１１からリニア値のＩＦ信号、ＡＤＣ１３からログ値のＩＦ信号のパワーが入力される。変調特性解析手段１５は、ＡＤＣ１１からのＩＦ信号に基づいて変調解析を行なう。
【０００８】
ここで、図５は、図４に示すパワー測定手段１６の構成を示した図である。
図５において、パワー測定手段１６は、ログ値平均化手段１７、補正手段１８、瞬時パワー演算手段１９、メモリ２０を有する（例えば、特許文献１、特許文献２参照）。
【０００９】
ログ値平均化手段１７は、ＡＤＣ１３からのデジタルデータ（ログ値）を平均化する。平均化する点数は、例えば、１スロット分の時間幅に含まれるデジタルデータであり、ＡＤＣ１３のサンプリング周波数にもよるが、数千点で平均化し平均パワーを求める。
【００１０】
補正手段１８は、変調方式に固有の補正値（あらかじめ求めておく）で平均化手段１７の平均値（平均パワー）を補正し、メモリ２０に格納する。
【００１１】
瞬時パワー演算手段１９は、ＡＤＣ１３からのデジタルデータ（ログ値）をパワー変化のトレンドデータ（時間対パワーの関係）としてメモリ２０に格納する。
【００１２】
このような装置の動作を説明する。
ＲＦ回路１０が、被試験対象機器（携帯電話機）からのＲＦ信号を周波数変換し、ＩＦ信号（リニア値）としてＡＤＣ１１、ログアンプ１２に出力する。そして、ＡＤＣ１１が、所定のサンプリング周波数でデジタルデータに変換して変調特性解析手段１５に出力する。さらに、変調特性解析手段１５が、所定の解析を行なう。
【００１３】
一方、ログアンプ１２が、ＩＦ信号の瞬時電力（瞬時パワー）を等価デシベル値に変換しＡＤＣ１３に出力する。そして、ＡＤＣ１３が、所定のサンプリング周波数でデジタルデータに変換して平均化手段１７、瞬時パワー演算手段１９に出力する。
【００１４】
そして、平均化手段１７が、デジタルデータを平均化して平均パワーを求め、補正手段１８が、平均パワーを補正値で補正してメモリ２０に格納する。
【００１５】
また、瞬時パワー演算手段１９が、デジタルデータに所定の処理を行なってトレンドデータとしてメモリ２０に格納する（トレンド測定）。なお、ＡＤＣ１３のサンプリング周波数やＩＦ信号の周波数にもよるが、ＡＤＣ１３そのままのデジタルデータの時系列データをトレンドデータとすると振幅方向に細かい変動が存在する。そのため、演算手段１９が、ＩＦ信号の周波数の複数周期分の時間幅となる点数（例えば、数点分）で平均を行なって瞬時データとし、この瞬時データの時系列データをトレンドデータとしてメモリ２０に格納する。もちろん、（平均化手段１７の平均点数）＞＞（瞬時パワー演算手段１９の平均点数）である。
【００１６】
【特許文献１】特開２００４−２２８８３６号公報
【特許文献２】特開２００５−１８４８４７号公報
【非特許文献１】石津哲、外３名、「ワイヤレスコミュニケーションテスタＶＣ３３００」、横河技報、横河電機株式会社、２００７年１０月２２日、第５１巻、第４号、ｐ．２１−２４
【発明の開示】
【発明が解決しようとする課題】
【００１７】
ここで、トレンドデータと平均パワーについて説明する。図６は、トレンドデータと平均パワーの説明を示した図である。横軸は時間であり、縦軸はパワーである。
【００１８】
携帯電話機と携帯電話機テスタ間では、データ通信を行なうために大きな送信パワーのＲＦ信号を携帯電話機からテスタに送信している状態（以下、通信状態と呼ぶ）と、微弱な送信パワーまたは全く送信していない状態（以下、待機状態と呼ぶ）とが存在する。
【００１９】
トレンドデータは、待機状態、通信状態の双方の瞬時データが時系列順にメモリ２０へ格納されたものである。これは、待機状態から通信状態へのパワーの立上がり時間、逆の状態へのパワーの立下り時間の測定・解析や、待機状態と通信状態でのパワー差の測定・解析等を行なう必要があるからである。
【００２０】
一方、平均パワーは、通信状態における携帯電話機の送信パワーの測定・解析を行なうためのものである。従って、待機状態中のデータや、立下り、立ち上がり中のデータを除外した通信状態のみのデータを使用し、パワーの大きさが安定しているデータで平均化を行なう。なお、平均化手段１７は、通信状態中のデータを選択し、選択したデジタルデータに対して平均化を行なう。
【００２１】
このようなトレンド測定を行なうためには、携帯電話機テスタのダイナミックレンジを非常に広くとる必要がある。通信規格にもよるが、待機状態のパワーと受信状態のパワーとのパワー差が非常に大きいからである。そのため、通常の携帯電話機テスタには１００［ｄＢ］程度を超えるダイナミックレンジが要求される。
【００２２】
そこで、ダイナミックレンジが広くパワー変化に対する追従性も優れているログアンプ１２をパワー検出器として用いることが多い。
【００２３】
ログアンプ１２について説明する。
携帯電話機テスタ、携帯電話機、基地局等を含めた無線通信システムで一般的に使用されるログアンプ１２は、ログアンプ１２への入力信号（図４ではＩＦ信号）の復調電力を等価デシベル値に変換しているが、ログアンプ１２内部で積分ローパスフィルタ処理してスムージングを行なった結果を出力する構造となっている。
【００２４】
すなわち、入力信号の復調電力（＝積分電力）の等価デシベル値（式（１））でなく、入力信号の瞬時電力を等価デシベル値に変換したものを積分した値（式（２））に相当する電圧信号をログアンプ１２が出力する。
【００２５】
Ｖｏｕｔ１＝ｌｏｇ（ａｖｇ（Ｖｉｎ2））    …式（１）
Ｖｏｕｔ２＝ａｖｇ（ｌｏｇ（Ｖｉｎ2））    …式（２）
【００２６】
ここで、Ｖｉｎは、ログアンプ１２への入力信号（ＩＦ信号）であり、ａｖｅは、所定の時間幅における積分を示し、ｌｏｇは対数変換を示す。
【００２７】
式（１）、式（２）から明らかなように、本来の真値は式（１）で出力されるＶｏｕｔ１だが、ログアンプ１２の出力は式（２）で出力されるＶｏｕｔ２である。
【００２８】
そのため、クレストファクタ（ＣＦ＝ピーク値／実効値）の値の変動が大きな信号（言い換えると、ログアンプ１２に入力されるＩＦ信号の瞬時電力Ｖｉｎ2の変化が大きな信号）がログアンプ１２に入力された場合、式（１）と式（２）の演算結果の差が大きくなり、真値（式（１）の値）との誤差が生じてしまう。
【００２９】
従来は変調方式が固定されているので、シンボル点のコンスタレーションの形状も一定になり、クレストファクタの大きさも一定の値（厳密には、ノイズや各回路の誤差によって一定の範囲）に決まる。すなわち、式（２）で生ずる誤差分もあらかじめ算出できる。
【００３０】
そこで従来は、クレストファクタの大きさに基づく補正値をあらかじめ求めておくと共に、ログアンプ１２の出力をさらに平均化してシンボル点の出現確率の影響を除去し、式（２）のＶｏｕｔ２から求めた平均パワーの誤差を補正していた（上述の特許文献１）。これによって、平均パワーや、パワー変化等のトレンド測定の両方を高確度で行なうことができる。
【００３１】
しかしながら、近年の通信規格、例えば、ＨＳＤＰＡ（High Speed Downlink Packet Access）方式のUplink側（携帯電話機からテスタへのＨＡＲＱ−ＡＣＫ（Hybrid-ARQ Acknowledgement）、ＣＱＩ（Channel-Quality Indication）等）では、従来の通信規格の変調方式とは異なり、変調パラメータによってシンボル点のＩＱコンスタレーションの形状が大きく変わり、クレストファクタの値も大きく変化するという問題があった。
【００３２】
具体的にはＨＳＤＰＡは、ＩＱ座標でのシンボル点が同一半径の円周上に存在せず、異なる半径の円周上に分布する。つまり、変調パラメータによってシンボル点のコンスタレーションがかわり、信号のクレストファクタの値も大きく変化するため、補正値をあらかじめ求めて補正を行なうことが困難であるという問題があった。
【００３３】
もちろん、入力信号のクレストファクタの変動で生ずるＶｏｕｔ２の誤差を少なくしたＲＭＳパワーディテクタ等をパワー検出器に用いることもできるが、ダイナミックレンジが狭いという問題があった。また、ＲＭＳパワーディテクタによるＲＭＳパワーの検出確度を高めるとパワー変化に対する追従性が悪化（立上がり、立下りでの追従性が非対称など）し、携帯電話機テスタに用いることは困難であるという問題があった。
【００３４】
また、デジタルタイプのパワー検出器は、ダイナミックレンジが狭く、携帯電話機テスタに用いることは困難であるという問題があった。
【００３５】
そこで本発明の目的は、クレストファクタの大きさが変動する場合であっても、パワー測定を高確度で行なえる変調信号のパワー測定装置およびこれを用いた無線機テスタを実現することにある。
【課題を解決するための手段】
【００３６】
請求項１記載の発明は、
測定対象の変調信号を対数変換してログ値のパワーを求めるログアンプと、このログアンプで対数変換されたアナログデータをデジタルデータに変換する第１のＡＤ変換器と、この第１のＡＤ変換器のログ値のデジタルデータを平均化して平均パワーを求めるログ値平均化手段とを有する変調信号のパワー測定装置において、
前記変調信号をデジタルデータに変換する第２のＡＤ変換器と、
この第２のＡＤ変換器からのリニア値のデジタルデータから変調信号のパワーを求め、このリニア値のパワーを平均化して対数変換したデータと前記リニア値のパワーを対数変換して平均化したデータとで補正値を求める補正値演算手段と、
この補正値演算手段の補正値で前記ログ値平均化手段の平均パワーを補正する平均パワー補正手段と
を設けたことを特徴とするものである。
請求項２記載の発明は、請求項１記載の発明において、
補正値演算手段は、
前記第２のＡＤ変換器からのデジタルデータからパワーを演算する二乗値演算手段と、  この二乗値演算手段のパワーを平均化してログ値に対数変換する第１の変換手段と、
前記二乗値演算手段のパワーをログ値に対数変換して平均化する第２の変換手段と、
前記第１、第２の変換手段の演算結果から補正値を求め、前記平均パワー補正手段に出力する算出手段と
を有することを特徴とするものである。
請求項３記載の発明は、請求項１または２記載の発明において、
前記第１のＡＤ変換器からのデジタルデータのトレンドデータを作成する瞬時パワー演算手段と、
前記補正値演算手段によって平均化されて対数変換されたデータに基づいて、前記瞬時パワー演算手段のトレンドデータを補正するトレンドデータ補正手段と
を設けたことを特徴とするものである。
請求項４記載の発明は、請求項１〜３のいずれかに記載の発明において、
変調信号は、ＨＳＤＰＡの規格に沿った信号であることを特徴とするものである。
請求項５記載の発明は、
変調信号を出力する無線機器のテストを行なう無線機テスタにおいて、
前記第２のＡＤ変換器のデジタルデータから前記変調信号の解析を行なう変調特性解析手段と、
請求項１〜４のいずれかに記載の変調信号のパワー測定装置と
を有することを特徴とするものである。
【発明の効果】
【００３７】
本発明によれば、以下のような効果がある。
請求項１〜４によれば、応答性、ダイナミックレンジに優れたログアンプのデータによってログ値平均化手段が平均パワーを求める。一方、補正値演算手段が、リニア値のパワーを平均して対数変換したデータと、対数変換して平均したデータとで補正値を求める。そして、平均パワー補正手段が、ログアンプのデータで求めた平均パワーを補正値で補正するので、クレストファクタの変動に関わりなく、真の平均パワーを求めることができる。従って、クレストファクタの大きさが変動する場合であっても、パワー測定を高確度で行なえる。
【００３８】
また、請求項５によれば、補正値演算手段が、変調信号の解析を行なう変調特性解析手段用の信号を用いて平均パワーの補正を行なうので、所望の変調信号における変調解析、平均パワー測定を高確度で行なえる。
【発明を実施するための最良の形態】
【００３９】
以下図面を用いて本発明の実施の形態を説明する。
［第１の実施例］
図１は、本発明の第１の実施例を示した構成図である。ここで、図４、図５と同一のものには同一符号を付し、説明を省略する。図１において、パワー測定手段１６に補正値演算手段３０が新たに設けられる。また、補正手段１８の代わりに平均パワー補正手段４０が設けられる。
【００４０】
補正値演算手段３０は、二乗値演算手段３１、第１の平均化手段３２、第１の対数変換手段３３、第２の対数変換手段３４、第２の平均化手段３５、加算手段３６を有し、異なる演算手順で平均パワー用の補正値を算出する。詳細は後述するが、補正値演算手段３００は、ＡＤＣ１１からのリニア値のデジタルデータから変調信号（ＩＦ信号）のパワーを求め、このリニア値のパワーを平均化して対数変換したデータと、リニア値のパワーを対数変換して平均化したデータとで補正値を求め、平均パワー補正手段４０に出力する。
【００４１】
ここで、第１の平均化手段３２、第１の対数変換手段３３で第１の変換手段を構成し、第２の対数変換手段３４、第２の平均化手段３５で第２の変換手段を構成する。また、ＡＤＣ１１は、特許請求の範囲の第２のＡＤ変換器に相当し、ＡＤＣ１３は、特許請求の範囲の第１のＡＤ変換器に相当する。
【００４２】
二乗値演算手段３１は、ＡＤＣ１１からのデジタルデータを二乗してパワーを求める。平均化手段３２は、二乗値演算手段３１の演算結果（リニア値のパワー）を平均化する。対数変換手段３３は、平均化手段３２の平均値を対数変換する。
【００４３】
対数変換手段３４は、二乗値演算手段３１の演算結果（リニア値のパワー）を対数変換する。平均化手段３５は、対数変換手段３４で対数変換されたログ値のパワーを平均化する。
【００４４】
加算手段３６は、対数変換手段３３、平均化手段３５の誤差ΔＶｏｕｔを算出して補正値として平均パワー補正手段４０に出力する。
【００４５】
補正手段４０は、平均化手段１７からの平均値を補正値ΔＶｏｕｔで補正し、補正結果を平均パワーとしてメモリ２０に格納する。
【００４６】
このような装置の動作を説明する。
ＲＦ回路１０が、被試験対象機器（携帯電話機）からのＲＦ信号をＩＦ信号（リニア値）に周波数変換し、ＡＤＣ１１、ログアンプ１２に出力する。
【００４７】
そして、ＡＤＣ１１が、所定のサンプリング周波数でデジタルデータに変換して変調特性解析手段１５、パワー測定手段１６の補正値演算手段３０に出力する。
【００４８】
さらに、変調特性解析手段１５が、所定の解析（例えば、ビット誤り率（Bit Error Rate：BER）、変調精度、通信プロトコルの正しさ等）を行なう。
【００４９】
また、補正値演算手段３０の二乗値演算手段３１が、ＡＤＣ１１からのデジタルデータそれぞれを二乗してパワーを求め、平均化手段３２、対数変換手段３４に出力する。なお、二乗値演算手段３１が、第１の平均化手段３２、第２の対数変換手段３４に出力する二乗されたデジタルデータは、通話状態のデータ、すなわち、平均化手段１７が平均を行なう区間（図６参照）のデータを選択して出力する。もちろん、デジタル信号処理部１４は、ＡＤＣ１１、ＡＤＣ１３の同期を図っておき、ＡＤＣ１１、１３それぞれのデジタルデータ同士の時間関係を求め、二乗値演算手段３１に時間情報を出力する。
【００５０】
そして、平均化手段３２が、二乗値演算手段３１からのデジタルデータの平均を行なうが、平均を行なうデータ（リニア値）は上述したように、平均化手段１７が平均したのと同じ時間幅に含まれるデジタルデータとなる。さらに、第１の対数変換手段３３が、平均値をログ値に対数変換し、加算手段３６に出力する。
【００５１】
また、対数変換手段３４が、二乗値演算手段３１からのデジタルデータそれぞれをログ値に対数変換する。そして、第２の平均化手段３５が、ログ値のデジタルデータの平均を行ない、加算手段３６に出力する。もちろん、平均を行なうデータ（ログ値）は、平均化手段１７、３２が平均したのと同じ時間幅に含まれるデジタルデータである。
【００５２】
そして、加算手段３６が、対数変換手段３３からのデータを平均化手段３５のデータで減算し、演算結果を補正値ΔＶｏｕｔとして平均パワー補正手段４０に出力する。
【００５３】
なお、ＲＦ回路１０からのＩＦ信号は、ディバイダ（図示せず）によってＡＤＣ１１、ログアンプ１２それぞれに分岐されるが、パワーの分岐比が一定とは限らない。しなしながら、ＡＤＣ１１への信号のパワーをＷとし、ログアンプ１２へのパワーをＵとした場合、Ｗ＝ａ・Ｕ（ａは係数）の比例関係が成りたつ。そして、ＡＤＣ１１への入力信号のパワーは、補正値演算手段３０の対数変換手段３３、３４で対数変換され加算器３６で減算されるので、補正値ΔＶｏｕｔでは、係数ａの影響分は完全に除去されている。
【００５４】
一方、ログアンプ１２が、ＩＦ信号の瞬時電力（瞬時パワー）を等価デシベル値に変換しＡＤＣ１３に出力する。そして、ＡＤＣ１３が、所定のサンプリング周波数でデジタルデータ（ログ値）に変換して平均化手段１７、瞬時パワー演算手段１９に出力する。
【００５５】
そして、平均化手段１７が、通話状態のデジタルデータを選択して、選択したデジタルデータを平均化して平均パワーを求め、補正手段４０に出力する。そして、平均パワー補正手段４０が、平均化手段１７からの平均値を加算手段３６からの補正値ΔＶｏｕｔで補正する。具体的には、平均化手段１７からの平均値に、加算手段３６からの補正値ΔＶｏｕｔを加算し、加算結果を平均パワーとしてメモリ２０に格納する。
【００５６】
また、瞬時パワー演算手段１９が、デジタルデータに所定の処理を行なってトレンドデータとしてメモリ２０に格納する（トレンド測定）。なお、ＡＤＣ１３のサンプリング周波数やＩＦ信号の周波数にもよるが、ＡＤＣ１３そのままのデジタルデータの時系列データをトレンドデータとすると振幅方向に細かい変動が存在する。そのため、演算手段１９が、ＩＦ信号の周波数の複数周期分の時間幅となる点数（例えば、数点分）で平均を行なって瞬時データとし、この瞬時データの時系列データをトレンドデータとしてメモリ２０に格納する。もちろん、（平均化手段１７の平均点数）＞＞（瞬時パワー演算手段１９の平均点数）である。
【００５７】
そして、表示処理部（図示せず）が、メモリ２０からトレンドデータを読みだし、表示部（図示せず）に時間と瞬時データの関係を示すトレンドデータの波形を表示したり、補正した平均パワーの数値や波形を表示する。
【００５８】
このように、応答性、ダイナミックレンジに優れたログアンプ１２のデータから平均パワー、トレンドデータを求める。そして、補正値演算手段３０が、リニア値を平均して対数変換したデータと、対数変換して平均したデータとで補正値を求める。さらに、平均パワー補正手段４０が、ログアンプ１２のデータで求めた平均パワーを、求めた補正値で補正するので、クレストファクタの変動に関わりなく、真の平均パワーを求めることができる。従って、クレストファクタの大きさが変動する場合であっても、パワー測定を高確度で行なえる。
【００５９】
［第２の実施例］
図２は、本発明の第２の実施例を示した構成図である。ここで、図１と同一のものには同一符号を付し、説明を省略する。また、ＲＦ回路１０、ＡＤＣ１１，１３、ログアンプ１２の図示も省略する。
【００６０】
図２において、トレンドデータ補正手段５０が新たに設けられる。トレンドデータ補正手段５０は、対数変換手段３３の演算結果に基づいて、瞬時パワー演算手段１９が求めたトレンドデータの補正を行なう。
【００６１】
このような装置の動作を説明する。
トレンドデータ補正手段５０が、補正値演算手段３０の対数変換手段３３からログ値の平均パワー（リニア値で平均パワーを求めてから対数変換したもの）が入力される。そして、補正手段５０が、メモリ２０から瞬時パワー演算手段１９が求めたトレンドデータを読み出す。
【００６２】
さらに、補正手段５０が、読み出したトレンドデータのなかから通信状態のトレンドデータを選択し、選択したトレンドデータの平均値を求める。つまり、平均化手段１７、３２、３５が平均したのと同じ時間幅に含まれるトレンドデータの平均パワーを求める。
【００６３】
そして、補正手段５０が、対数変換手段３３からの平均値と、メモリ２０のトレンドデータから求めた平均値の誤差を算出し補正値とする。さらに、補正手段５０が、算出した補正値で、トレンドデータを構成する各瞬時データそれぞれを補正し、補正したトレンドデータをメモリ２０に格納する。
【００６４】
そして、表示処理部（図示せず）が、メモリ２０から補正されたトレンドデータを読みだし、表示部（図示せず）に時間と瞬時データの関係を示すトレンドデータの波形を表示したり、補正した平均パワーの数値や波形を表示する。その他の動作は、図１に示す装置と同様なので説明を省略する。
【００６５】
すなわち、ログアンプ１２が、広いダイナミックレンジ、速い応答性でＲＦ回路１０からのＩＦ信号をログ値のパワーに変換する。従って、各瞬時データ間の相対値の確度は非常に高い。しなしながら、上述のように、ログアンプ１２は、入力信号の瞬時電力を等価デシベル値に変換したものを積分した値に相当する電圧信号を出力する。そのため、真の値に対して僅かながら誤差を含んでいる。
【００６６】
このように、トレンドデータ補正手段５０が、対数変換手段３３が求めた平均パワー（真値）に基づいて、瞬時パワー演算手段１９の求めたトレンドデータを補正するので、真のパワーのトレンドデータを求めることができる。従って、トレンドデータのパワー測定を高確度で行なえる。
【００６７】
［第３の実施例］
図３は、本発明の第３の実施例を示した構成図である。ここで、図１と同一のものには同一符号を付し、説明を省略する。図３において、ＲＦ回路１０の後段に帯域制限フィルタ６０が新たに設けられる。また、帯域制限フィルタ６０とＡＤＣ１１との間にＡＧＣ（Automatic Gain Control：自動利得調整）７０が新たに設けられる。
【００６８】
帯域制限フィルタ６０は、ＲＦ回路１０からのＩＦ信号のフィルタリングを行ない、ログアンプ１２、ＡＧＣ７０に出力する。ＡＧＣ７０は、フィルタ６０からのＩＦ信号のゲイン調整をしてＡＤＣ１１に出力する。
【００６９】
このような装置の動作を説明する。
帯域制限フィルタ６０が、ＲＦ回路１０からのＩＦ信号のフィルタリングを行ない、例えば、ＲＦ回路１０でダウンコンバートされたＩＦ信号の周波数帯のみを通過させ、ログアンプ１２、ＡＧＣ７０に出力する。すなわち、フィルタ６０が、ＩＦ信号の周波数帯以外の信号（特に、ＩＦ信号よりも高周波側の信号）を除去するので、補正値演算手段３０が、補正値を精度よく求めることができる。
【００７０】
そして、ＡＧＣ７０が、後段のＡＤＣ１１のＡＤ変換に最適な振幅値にＩＦ信号をゲインコントロールしてＡＤＣ１１に出力する。
【００７１】
すなわち、ＡＤＣ１１は、ログアンプ１２よりも振幅方向のダイナミックレンジが狭く４０［ｄＢ］程度である。そこで、ＡＧＣ７０が、通話状態におけるＩＦ信号を最適な振幅値となるようにして出力することにより、ＡＤＣ１１が、ＡＤ変換を精度よく行なえ、補正値演算手段３０も、補正値を精度よく求めることができる。
【００７２】
なお、ＡＧＣ７０によってＡＤＣ１１、ログアンプ１２それぞれに入力されるＩＦ信号の振幅等の大きさが異なるが、上述したように、補正値演算手段３０は、クレストファクタの大きさに起因するログ値（デシベル値［ｄＢ］）としての差分を求めて補正値を算出するので、振幅等の大きさが問題にはならない。
【００７３】
このように、フィルタ６０が、パワー測定対象の信号の周波数帯のみを通過させ、ＡＧＣ７０が、ＡＤ変換対象の信号の振幅を調整してＡＤＣ１１に出力する。これにより、補正値演算手段３０が精度よく補正値を求められ、パワー測定を高確度で行なえる。
【００７４】
なお、本発明はこれに限定されるものではなく、以下に示すようなものでもよい。
（１）ＲＦ回路１０が出力するＩＦ信号の周波数を１０〜２０［ＭＨｚ］程度とする構成を示したが、どのような周波数帯であってもよい。
【００７５】
（２）クレストファクタの大きさが変動する変調方式、通信規格の一例として、ＨＳＤＰＡを一例に挙げたが、どのような変調方式、通信規格であってもよい。
【００７６】
（３）図２に示すトレンドデータ補正手段５０を、図３に示す装置に設けてもよい。
【図面の簡単な説明】
【００７７】
【図１】本発明の第１の実施例を示した構成図である。
【図２】本発明の第２の実施例を示した構成図である。
【図３】本発明の第３の実施例を示した構成図である。
【図４】従来の携帯電話機テスタの構成を示した図である。
【図５】図４に示す装置の一部の構成を詳細に示した図である。
【図６】トレンドデータと平均パワーの関係を説明した図である。
【符号の説明】
【００７８】
１１  第２のＡＤ変換器
１２  ログアンプ
１３  第１のＡＤ変換器
１５  変調特性解析手段
１７  ログ値平均化手段
１９  瞬時パワー演算手段
３０  補正値演算手段
３１  二乗値演算手段
３２  第１の平均化手段
３３  第１の対数変換手段
３４  第２の対数変換手段
３５  第２の平均化手段
３６  加算手段（算出手段）
４０  平均パワー補正手段
５０  トレンドデータ補正手段
【図１】
2009194678.tif 000003
【図２】
2009194678.tif 000004
【図３】
2009194678.tif 000005
【図４】
2009194678.tif 000006
【図５】
2009194678.tif 000007
【図６】
2009194678.tif 000008